(57)【要約】【課題】課題は、消費エネルギーの低減を図りながらも快適さを保つことができる、空調システムを提供することである。【解決手段】空調システム１００は、取得部Ｆ１０と、決定部Ｆ１１と、を備える。取得部Ｆ１０は、空調装置２０の運転を停止させる停止期間の情報を取得する。決定部Ｆ１１は、停止期間の終了時点での室温が快適温度範囲内の温度となるように終了時点より前に空調装置２０の運転を再開する再開時点を求める。【選択図】  図１
2020034239.tif 000002
【特許請求の範囲】
【請求項１】
空調装置の運転を停止させる停止期間の情報を取得する取得部と、
前記停止期間の終了時点での室温が快適温度範囲内の温度となるように前記終了時点より前に前記空調装置の運転を再開する再開時点を求める決定部と、
を備える、
空調システム。
【請求項２】
前記決定部は、前記再開時点から前記空調装置の運転を再開させて前記停止期間の終了時点での室温を前記快適温度範囲内の温度とする間欠運転での前記空調装置の消費電力量を求める、
請求項１の空調システム。
【請求項３】
前記決定部は、前記空調装置の運転を継続して前記停止期間の間、室温を前記空調装置の設定温度に維持する継続運転での前記空調装置の消費電力量を求める、
請求項２の空調システム。
【請求項４】
前記決定部は、前記間欠運転の際の前記空調装置の消費電力量である第１電力量が前記継続運転の際の前記空調装置の消費電力量である第２電力量より少なければ、前記間欠運転を選択する、
請求項３の空調システム。
【請求項５】
前記決定部は、前記第１電力量が前記第２電力量より多ければ、前記継続運転を選択する、
請求項４の空調システム。
【請求項６】
前記決定部は、前記空調装置の運転を再開させなくても前記停止期間の終了時点での室温が前記快適温度範囲内の温度になる場合には、前記空調装置の運転の停止を選択する、
請求項１〜５のいずれか一つの空調システム。
【請求項７】
前記決定部での選択の結果に応じて前記空調装置を制御する制御部を、更に備える、
請求項４〜６のいずれか一つの空調システム。
【請求項８】
前記決定部は、外気温を参照して前記再開時点を求める、
請求項１〜７のいずれか一つの空調システム。
【請求項９】
前記決定部は、前記空調装置の登録情報に基づいて前記外気温を取得する、
請求項８の空調システム。
【請求項１０】
前記登録情報は、前記空調装置の設置場所を含み、
前記設置場所は、前記空調装置の設置されている場所の住所を示し、
前記決定部は、前記設置場所に基づいて前記外気温を取得する、
請求項９の空調システム。
【請求項１１】
前記決定部は、ユーザからの入力に基づいて前記快適温度範囲を決定する、
請求項１〜１０のいずれか一つの空調システム。
【請求項１２】
前記空調装置と、
前記空調装置に通信可能に接続される管理装置と、
を備え、
前記管理装置は、前記取得部及び前記決定部を含む、
請求項１〜１１のいずれか一つの空調システム。
【請求項１３】
前記管理装置に通信可能に接続される端末装置を備え、
前記端末装置は、前記停止期間の入力に用いられる、
請求項１２の空調システム。
【請求項１４】
空調装置の運転を停止させる停止期間の情報を取得する取得部と、
前記停止期間の終了時点での室温が快適温度範囲内の温度となるように前記終了時点より前の再開時点で前記空調装置に運転を再開させる制御部と、
を備える、
空調システム。
【請求項１５】
前記制御部は、前記空調装置の運転を再開する旨の通知を行う、
請求項１４の空調システム。
【発明の詳細な説明】
【技術分野】
【０００１】
本開示は、一般に空調システムに関し、特に空調装置により室温を調整する空調システムに関する。
【背景技術】
【０００２】
特許文献１は、圧縮機を駆動するインバータ装置を備えた空気調和機（空調システム）を開示する。特許文献１の空気調和機は、分岐点算出手段を備える。分岐点算出手段は、一旦運転が停止された運転停止時間の後に運転を開始して現在の室温と同じにするための電力量と現在の運転条件で運転を継続した時の電力量とを同じにするための運転停止時間である分岐点時間を報知情報として出力する。
【先行技術文献】
【特許文献】
【０００３】
【特許文献１】特開２０１５−１７８９１７号公報
【発明の概要】
【発明が解決しようとする課題】
【０００４】
特許文献１には、ユーザが退室から入室までの不在となる予定時間と分岐点時間とを比較することで運転継続か運転停止かのいずれが消費電力量が少ない省エネルギー運転になるのかを容易に判断できる旨の記載がある。しかしながら、一旦運転が停止された運転停止時間の後に運転を開始して現在の室温と同じにするには時間がかかる。そのため、運転中の空気調和機を停止した場合、入室からしばらくの間はユーザは不快な環境に置かれる可能性がある。
【０００５】
課題は、消費エネルギーの低減を図りながらも快適さを保つことができる、空調システムを提供することである。
【課題を解決するための手段】
【０００６】
本開示の一態様の空調システムは、空調装置の運転を停止させる停止期間の情報を取得する取得部と、前記停止期間の終了時点での室温が快適温度範囲内の温度となるように前記終了時点より前に前記空調装置の運転を再開する再開時点を求める決定部と、を備える。
【０００７】
本開示の一態様の空調システムは、空調装置の運転を停止させる停止期間の情報を取得する取得部と、前記停止期間の終了時点での室温が快適温度範囲内の温度となるように前記終了時点より前の再開時点で前記空調装置に運転を再開させる制御部と、を備える。
【発明の効果】
【０００８】
本開示の態様によれば、消費エネルギーの低減を図りながらも快適さを保つことができる、という効果を奏する。
【図面の簡単な説明】
【０００９】
【図１】図１は、一実施形態の空調システムのブロック図である。
【図２】図２は、冷房運転時の室温の時間的変化のグラフである。
【図３】図３は、暖房運転時の室温の時間的変化のグラフである。
【図４】図４は、上記空調システムの動作のフローチャートである。
【発明を実施するための形態】
【００１０】
１．実施形態
１．１  概要
図１は、本実施形態の空調システム１００を示す。空調システム１００は、取得部Ｆ１０と、決定部Ｆ１１と、を備える。取得部Ｆ１０は、空調装置２０の運転を停止させる停止期間Ｐｓの情報を取得する（図２、図３参照）。決定部Ｆ１１は、停止期間Ｐｓの終了時点ｔｅでの室温が快適温度範囲Ｒｃ内の温度となるように終了時点ｔｅより前に空調装置２０の運転を再開する再開時点ｔｒを求める（図２、図３参照）。
【００１１】
空調システム１００によれば、空調装置２０の運転を停止期間Ｐｓの開始時点ｔｓで停止した場合であっても、停止期間Ｐｓの終了時点ｔｅにおいて、室温を快適温度範囲Ｒｃ内の温度にできる。つまり、停止期間Ｐｓの開始時点ｔｓで空調装置２０の運転を停止して電力の消費を抑えた場合でも、停止期間Ｐｓの終了時点ｔｅには室温は快適な温度になっている。このように、空調システム１００によれば、消費エネルギーの低減を図りながらも快適さを保つことができ得る。特に、空調システム１００は、ユーザが停止期間Ｐｓの開始時点ｔｓで部屋から出て終了時点ｔｅで部屋に入る場合に有効である。このような場合、ユーザは、部屋に入った直後から部屋で快適に過ごすことができる。
【００１２】
１．２  構成
以下、空調システム１００について図１〜図４を参照して説明する。
【００１３】
空調システム１００は、建物に設置される空調装置２０により、部屋の温度（室温、室内温度）を調整するためのシステムである。建物は、例えば、戸建て住宅である。なお、建物は、戸建て住宅に限らず、集合住宅、店舗などの他の建物であってもよい。空調システム１００は、図１に示すように、管理装置１０と、空調装置２０と、端末装置３０と、を含む。管理装置１０は、空調装置２０と端末装置３０とに通信可能に接続され得る。本実施形態では、管理装置１０は、通信ネットワーク４０を通じて、空調装置２０及び端末装置３０に接続可能である。
【００１４】
通信ネットワーク４０は、インターネットを含み得る。通信ネットワーク４０は、単一の通信プロトコルに準拠したネットワークだけではなく、異なる通信プロトコルに準拠した複数のネットワークで構成され得る。通信プロトコルは、周知の様々な有線及び無線通信規格（例えば、電灯線通信プロトコル、無線通信プロトコル、赤外線通信プロトコル、拡張ＨＢＳプロトコル、Lon Talk（登録商標）プロトコル）から選択され得る。また、無線通信プロトコルの例としては、特定小電力無線の規格及び無線ＬＡＮ（Local Area Network）の規格が挙げられる。特定小電力無線の規格としては、Ｗｉ−ＳＵＮ（登録商標）の規格及びＷｉ−ＳＵＮ  ＨＡＮ（登録商標）が挙げられる。無線ＬＡＮの規格としては、Ｗｉ−Ｆｉ（登録商標）が挙げられる。図１では簡略化されているが、通信ネットワーク４０は、リピータハブ、スイッチングハブ、ブリッジ、ゲートウェイ、ルータ等のデータ通信機器を含み得る。
【００１５】
空調装置２０は、室温を調整する空調関連機器である。この種の空調関連機器の例としては、空気調和機が挙げられる。本実施形態では、空調装置２０は冷房及び暖房の機能を有する空気調和機である。空調装置２０は、冷房及び暖房の機能の他に、除湿機能、空気洗浄機能等を有していてもよい。
【００１６】
空調装置２０は、図１に示すように、機能部２１と、通信部２２と、処理部２３と、を備えている。
【００１７】
機能部２１は、空調装置２０において所定の機能を実現する機械構造を有する。本実施形態では、空調装置２０は空気調和機であるから、機能部２１は、空気調和機の機能を実現するための機械構造（例えば、凝縮器、蒸発器、圧縮機、温度センサ等）を有している。
【００１８】
通信部２２は、通信インターフェースである。通信部２２は、通信ネットワーク４０に接続可能であり、通信ネットワーク４０を通じた通信を行う機能を有する。通信部２２は、所定の通信プロトコルに準拠している。所定の通信プロトコルは、エコーネット（Energy Conservation & Homecare Network：ECHONET）（登録商標）規格である。エコーネット規格は、複数の通信プロトコル（例えば、電灯線通信プロトコル、無線通信プロトコル、赤外線通信プロトコル、拡張ＨＢＳプロトコル、Lon Talk（登録商標）プロトコル）を利用可能な通信プロトコルである。なお、所定の通信プロトコルは、エコーネット規格に限定されず、上述したような周知の様々な有線及び無線通信規格から選択され得る。
【００１９】
処理部２３は、空調装置２０の動作を制御する制御回路である。処理部２３は、例えば、１以上のプロセッサ（マイクロプロセッサ）と１以上のメモリとを含むコンピュータシステムにより実現され得る。つまり、１以上のプロセッサが１以上のメモリに記憶された１以上のプログラム（アプリケーション）を実行することで、処理部２３として機能する。プログラムは、ここでは処理部２３のメモリに予め記録されているが、インターネット等の電気通信回線を通じて、又はメモリカード等の非一時的な記録媒体に記録されて提供されてもよい。
【００２０】
処理部２３は、通信部２２を通じて通信ネットワーク４０から受け取った情報（制御指令情報）に基づいて、機能部２１の制御内容を設定（決定）する。つまり、機能部２１は、制御指令情報に基づいて設定された制御内容に従った動作を行う。制御指令情報は、通信ネットワーク４０を通じて、管理装置１０から与えられる。制御内容は、機能部２１の動作を決定する情報である。制御内容の例としては、空調装置２０の運転状況（例えば、運転モード、設定温度、風量等）が挙げられる。運転モードの例としては、冷房モード、暖房モード、除湿モード、空気清浄モードが挙げられる。また、処理部２３は、空調装置２０の現在の状態を示す状態情報を通信部２２から通信ネットワーク４０に出力する。状態情報は、運転状況、室温、消費電力量（累積電力量）等を含み得る。
【００２１】
管理装置１０は、空調システム１００において、空調装置２０の運転を管理する機能を有する。管理装置１０は、例えば、サーバである。なお、管理装置１０は、サーバに限らず、ゲートウェイ、住宅分電盤、ＨＥＭＳ（Home Energy Management System）のローカル装置等によっても実現され得る。
【００２２】
管理装置１０は、図１に示すように、通信部１１と、記憶部１２と、処理部１３と、を備えている。
【００２３】
通信部１１は、通信部２２と同様に、通信ネットワーク４０に接続可能であり、通信ネットワーク４０を通じた通信を行う機能を有する。通信部１１は、通信部２２と同じ通信プロトコルに準拠している。
【００２４】
記憶部１２は、登録情報を記憶している。登録情報は、空調システム１００での管理対象として登録された空調装置２０に関する情報である。登録情報は、例えば、空調装置２０のユーザの識別情報、空調装置２０の識別情報、空調装置２０の機種情報、及び空調装置２０の設置場所等を含む。空調装置２０の設置場所は、空調装置２０の設置されている場所の住所を示す。また、記憶部１２は、空調装置２０から送信される空調装置２０の状態情報の履歴を記憶し得る。
【００２５】
処理部１３は、管理装置１０の動作を制御する制御回路である。処理部１３は、例えば、１以上のプロセッサ（マイクロプロセッサ）と１以上のメモリとを含むコンピュータシステムにより実現され得る。つまり、１以上のプロセッサが１以上のメモリに記憶された１以上のプログラム（アプリケーション）を実行することで、処理部１３として機能する。プログラムは、ここでは処理部１３のメモリに予め記録されているが、インターネット等の電気通信回線を通じて、又はメモリカード等の非一時的な記録媒体に記録されて提供されてもよい。
【００２６】
処理部１３は、端末装置３０からの制御情報に応じて空調装置２０に制御指令情報を与える機能を有している。制御情報は、制御対象となる空調装置２０を特定するための情報（例えば、空調装置２０の識別情報及びユーザの識別情報）と、制御内容を特定するための情報とを含む。処理部１３は、制御情報と、記憶部１２の登録情報とを参照して、制御指令情報を生成し、対象となる空調装置２０に通信部１１を通じて送信する処理を実行する。これにより、端末装置３０からの制御情報が、管理装置１０によって制御指令情報に変換されて、空調装置２０へ送信される。このように、管理装置１０は、端末装置３０からの制御情報に基づいて空調装置２０に制御指令情報を送信する処理を行う。
【００２７】
また、処理部１３は、省エネルギー動作を行う。省エネルギー動作は、ユーザが部屋から出て一定期間の後に戻って来るシーンを考慮して用意された動作である。一例として、インバータ方式の空気調和機の場合、運転開始時に高能力で運転し、室温が設定温度に達した後は低能力で運転を継続する。そのため、空気調和機の運転を停止したからといって必ずしも消費電力量を低減できるわけではない。そこで、省エネルギー動作では、処理部１３は、空調装置２０の運転を継続する継続運転と空調装置２０の運転を一時的に中断する間欠運転とで、より消費電力量が少ないほうを選択する。
【００２８】
処理部１３は、この省エネルギー動作を行うために、図１に示すように、取得部Ｆ１０と、決定部Ｆ１１と、制御部Ｆ１２と、を有している。図１において、取得部Ｆ１０と、決定部Ｆ１１と、制御部Ｆ１２とは実体のある構成を示しているわけではなく、処理部１３によって実現される機能を示している。
【００２９】
取得部Ｆ１０は、停止期間Ｐｓ（図２、図３参照）の情報を取得する。停止期間Ｐｓは、空調装置２０の運転を停止させる期間と定義される。停止期間Ｐｓは、一例としては、空調装置２０が設置されている部屋においてユーザが不在となる場合に設定され得る。本実施形態では、取得部Ｆ１０は、端末装置３０から停止期間Ｐｓの情報を取得できる。停止期間Ｐｓの情報は、ユーザにより端末装置３０に入力され得る。本実施形態では、停止期間Ｐｓの情報は、停止期間Ｐｓそれ自体の長さを特定する情報である。ユーザは、端末装置３０を用いて、１５分、３０分、１時間、３時間、５時間といった時間の長さを入力すればよい。この場合には、ユーザにより停止期間Ｐｓの情報が入力された時刻が、停止期間Ｐｓが開始する時刻である開始時点ｔｓとなり得る。また、開始時点ｔｓから停止期間Ｐｓが経過した時刻が停止期間Ｐｓが終了する時刻である終了時点ｔｅとなり得る。
【００３０】
ここで、図２及び図３は、室温の時間的変化のグラフである。特に、図２では、空調装置２０は冷房モードであり、図３では、空調装置２０は暖房モードである。図２及び図３において、Ｔｏは外気温（室外温度）を示し、Ｔｓは空調装置２０の設定温度を示す。また、Ｔｃは、ユーザが快適に感じる快適温度範囲Ｒｃの臨界値（図２では上限値、図３では下限値）に対応している。以下必要に応じてＴｃを快適温度という。一例として、図２では、外気温Ｔｏは３４℃であり、設定温度Ｔｓは２６℃であり、快適温度Ｔｃは２８℃である。また、一例として、図３では、外気温Ｔｏは１６℃であり、設定温度Ｔｓは２２℃であり、快適温度Ｔｃは２０℃である。また、図２、図３では、外気温Ｔｏ、設定温度Ｔｓ、及び快適温度Ｔｃはいずれも一定としている。
【００３１】
図２において、Ｇ１１は、停止期間Ｐｓの間も空調装置２０の運転を継続した場合の室温の時間的変化を示す。Ｇ１２は、停止期間Ｐｓの間だけ空調装置２０の運転を停止させた場合の室温の時間的変化を示す。つまり、Ｇ１２では、停止期間Ｐｓの開始時点ｔｓで空調装置２０の運転を停止し、終了時点ｔｅで空調装置２０の運転を再開している。図２から明らかなように、Ｇ１２では、空調装置２０の運転を停止したことによって、室温が徐々に上昇し、終了時点ｔｅでは室温が外気温Ｔｏにほぼ等しくなっている。終了時点ｔｅ以後は空調装置２０の運転が再開されるものの、室温が快適温度Ｔｃに至るまでは時間がかかる。そのため、停止期間Ｐｓの経過後にユーザが部屋に戻ってきた場合には、ユーザは室温が快適温度Ｔｃに至るまでは、不快な状態で過ごすことになる。
【００３２】
図３において、Ｇ２１は、停止期間Ｐｓの間も空調装置２０の運転を継続した場合の室温の時間的変化を示す。Ｇ２２は、停止期間Ｐｓの間だけ空調装置２０の運転を停止させた場合の室温の時間的変化を示す。つまり、Ｇ２２では、停止期間Ｐｓの開始時点ｔｓで空調装置２０の運転を停止し、終了時点ｔｅで空調装置２０の運転を再開している。図３から明らかなように、Ｇ２２では、空調装置２０の運転を停止したことによって、室温が徐々に下降し、終了時点ｔｅでは室温が外気温Ｔｏにほぼ等しくなっている。終了時点ｔｅ以後は空調装置２０の運転が再開されるものの、室温が快適温度Ｔｃに至るまでは時間がかかる。そのため、停止期間Ｐｓの経過後にユーザが部屋に戻ってきた場合には、ユーザは室温が快適温度Ｔｃに至るまでは、不快な状態で過ごすことになる。
【００３３】
このように、空調装置２０の運転を継続せずに中断した場合には、消費電力量の低減が期待できるものの、快適さが損なわれる可能性がある。
【００３４】
決定部Ｆ１１は、快適さが損なわれることを抑制するために、再開時点ｔｒ（図２、図３参照）を求める。再開時点ｔｒは、停止期間Ｐｓの開始時点ｔｓよりも後の時点である。また、再開時点ｔｒは、停止期間Ｐｓの終了時点ｔｅより前の時点である。再開時点ｔｒは、停止期間Ｐｓの開始時点ｔｓにおいて停止した空調装置２０の運転を再開する時刻である。再開時点ｔｒは、停止期間Ｐｓの終了時点ｔｅでの室温が快適温度範囲Ｒｃ（図２、図３参照）内の温度となるように決定される。つまり、再開時点ｔｒは、停止期間Ｐｓの終了時点ｔｅでの室温が快適温度範囲Ｒｃ内の温度となるように終了時点ｔｅより前に空調装置２０の運転を再開する時点として定義される。本実施形態では、快適温度範囲Ｒｃは、設定温度Ｔｓと快適温度Ｔｃとの間の範囲である。快適温度Ｔｃは、設定温度Ｔｓと外気温Ｔｏとの間の温度である。快適温度Ｔｃは、一般的なデータから決定部Ｆ１１によって自動的に決定されてもよいし、ユーザにより入力されてもよい。
【００３５】
図２において、Ｇ１３は、空調装置２０の運転を停止期間Ｐｓの開始時点ｔｓで停止させた後に再開時点ｔｒから再開させて停止期間Ｐｓの終了時点ｔｅでの室温が快適温度範囲Ｒｃ内の温度（快適温度Ｔｃ）とする運転（間欠運転）での室温の時間的変化を示す。図２から明らかなように、Ｇ１３では、空調装置２０の運転を停止したことによって室温が徐々に上昇しているが、終了時点ｔｅの前の再開時点ｔｒで空調装置２０の運転を再開したことによって、終了時点ｔｅでは室温が快適温度Ｔｃにほぼ等しくなっている。そのため、停止期間Ｐｓの経過後にユーザが部屋に戻ってきた場合であっても、ユーザは快適な状態で過ごすことができる。
【００３６】
図３において、Ｇ２３は、空調装置２０の運転を停止期間Ｐｓの開始時点ｔｓで停止させた後に再開時点ｔｒから再開させて停止期間Ｐｓの終了時点ｔｅでの室温が快適温度範囲Ｒｃ内の温度（快適温度Ｔｃ）とする運転（間欠運転）での室温の時間的変化を示す。図３から明らかなように、Ｇ２３では、空調装置２０の運転を停止したことによって室温が徐々に下降しているが、終了時点ｔｅの前の再開時点ｔｒで空調装置２０の運転を再開したことによって、終了時点ｔｅでは室温が快適温度Ｔｃにほぼ等しくなっている。そのため、停止期間Ｐｓの経過後にユーザが部屋に戻ってきた場合であっても、ユーザは快適な状態で過ごすことができる。
【００３７】
このように、再開時点ｔｒを求めることによって、空調装置２０の運転を継続せずに中断した場合であっても、快適さを保つことが可能である。
【００３８】
次に、再開時点ｔｒの求め方について説明する。本実施形態では、再開時点ｔｒを決定するために、予測モデルを利用している。予測モデルは、入力されたパラメータに対して終了時点ｔｅでの室温を出力する分類器（学習済みモデル）である。ここで、パラメータは、停止期間Ｐｓ、開始時点ｔｓでの室温、運転開始時刻、空調装置２０の情報（能力、設定温度等）、外気温、部屋の熱量の保持能力等を含み得る。ここで、運転開始時刻は、空調装置２０の運転を開示する時刻である。運転開始時刻は、決定部Ｆ１１が任意に設定可能なパラメータである。運転開始時刻は、終了時点ｔｅにおいて室温が快適温度範囲Ｒｃ内の温度になる場合には、再開時点ｔｒとして採用可能である。部屋の熱量の保持能力は、部屋の冷えやすさ／冷えにくさ、暖めやすさ／暖めにくさを示す指標である。
【００３９】
決定部Ｆ１１は、取得部Ｆ１０が停止期間Ｐｓの情報を取得すると、取得部Ｆ１０が取得した停止期間Ｐｓの情報から、停止期間Ｐｓの開始時点ｔｓ及び終了時点ｔｅを得る。また、決定部Ｆ１１は、開始時点ｔｓでの室温及び空調装置２０の情報（能力、設定温度等）を取得する。更に、決定部Ｆ１１は、空調装置２０の登録情報に基づいて外気温を取得する。上述したように、登録情報は、空調装置２０の設置場所を含んでおり、設置場所は、空調装置２０の設置されている場所の住所を示している。そこで、決定部Ｆ１１は、設置場所に基づいて外気温を取得する。外気温の取得には、天気予報サーバを利用でき得る。天気予報サーバは、政府や事業者等によって提供されている。このように、決定部Ｆ１１は、外気温を参照して再開時点ｔｒを求める。なお、空調装置２０が外気温を測定する温度センサを有している場合には、決定部Ｆ１１は、空調装置２０から外気温を取得してもよい。図２及び図３では、外気温Ｔｏを一定としているが、決定部Ｆ１１は、少なくとも停止期間Ｐｓのあいだの外気温の時間的変化を取得してもよい。また、決定部Ｆ１１は、停止期間Ｐｓの間の外気温の平均値を再開時点ｔｒの決定に利用してよい。
【００４０】
決定部Ｆ１１は、運転開始時刻を終了時点ｔｅよりも前の時刻に設定して、予測モデルを利用して終了時点ｔｅでの室温を求める。終了時点ｔｅでの室温が快適温度範囲Ｒｃ内の温度でなければ、運転開始時刻を更に前の時刻に設定して再度予測モデルを利用して終了時点ｔｅでの室温を求める。一方、終了時点ｔｅでの室温が快適温度範囲Ｒｃ内の温度であれば、運転開始時刻を再開時点ｔｒとして採用する。なお、決定部Ｆ１１は、運転開始時刻を開始時点ｔｓ以前にしなければ、終了時点ｔｅでの室温が快適温度範囲Ｒｃ内の温度にならない場合には、再開時点ｔｒが存在しないと判断する。また、決定部Ｆ１１は、運転開始時刻を終了時点ｔｅに設定して、予測モデルを利用して終了時点ｔｅでの室温を求めてよい。終了時点ｔｅでの室温が快適温度範囲Ｒｃ内の温度であれば、空調装置２０の運転を再開させなくても停止期間Ｐｓの終了時点ｔｅでの室温が快適温度範囲Ｒｃ内の温度になる。この場合には、決定部Ｆ１１は、空調装置２０の運転の再開の必要がないと判断する。
【００４１】
決定部Ｆ１１は、空調装置２０の消費電力量を求める。より詳細には、決定部Ｆ１１は、空調装置２０の消費電力量として、第１電力量と第２電力量とを求める。第１電力量は、間欠運転の際の空調装置２０の消費電力量である。間欠運転は、再開時点ｔｒから空調装置２０の運転を再開させて停止期間Ｐｓの終了時点ｔｅでの室温が快適温度範囲Ｒｃ内の温度とする運転である。つまり、第１電力量は、再開時点ｔｒから空調装置２０の運転を再開させて停止期間Ｐｓの終了時点ｔｅでの室温が快適温度範囲Ｒｃ内の温度とする間欠運転での空調装置２０の消費電力量である。第２電力量は、継続運転の際の空調装置２０の消費電力量である。継続運転は、空調装置２０の運転を継続して停止期間Ｐｓのあいだ室温を空調装置２０の設定温度Ｔｓに維持する運転である。つまり、第２電力量は、空調装置２０の運転を継続して停止期間Ｐｓのあいだ室温を空調装置２０の設定温度Ｔｓに維持する継続運転での空調装置２０の消費電力量である。
【００４２】
本実施形態では、空調装置２０の消費電力量を求めるために、予測モデルを利用している。予測モデルは、入力されたパラメータに対して空調装置２０の消費電力量を出力する分類器（学習済みモデル）である。ここで、パラメータは、空調装置２０の情報（能力、設定温度等）、運転期間、室温、外気温等を含み得る。
【００４３】
決定部Ｆ１１は、第１電力量が第２電力量より少なければ、間欠運転を選択する。一方、決定部Ｆ１１は、第１電力量が第２電力量より多ければ、継続運転を選択する。なお、第１電力量が第２電力量と一致していれば、間欠運転と継続運転とのどちらを選択してもユーザが享受するメリットに明確な違いはない。ただし、本実施形態では、第１電力量が第２電力量と一致した場合、決定部Ｆ１１は間欠運転を選択するようにしている。もちろん、第１電力量が第２電力量と一致した場合に、決定部Ｆ１１は継続運転を選択してもよい。また、第１電力量が第２電力量と一致した場合に、間欠運転と継続運転のどちらを実行するかは、ユーザが予め、又は、第１電力量が第２電力量と一致した場合に選択できるようにしてもよい。また、決定部Ｆ１１は、再開時点ｔｒが存在しなかった場合には、継続運転を選択してよい。また、決定部Ｆ１１は、空調装置２０の運転の再開の必要がない場合には、空調装置２０の運転の停止を選択してよい。つまり、決定部Ｆ１１は、空調装置２０の運転を再開させなくても停止期間Ｐｓの終了時点ｔｅでの室温が快適温度範囲Ｒｃ内の温度になる場合には、空調装置２０の運転の停止を選択してよい。この場合には、空調装置２０の運転は、停止期間Ｐｓの開始時点ｔｓで停止され、ユーザによる運転の再開があるまでは、停止したままとなる。
【００４４】
制御部Ｆ１２は、決定部Ｆ１１での選択の結果に応じて空調装置２０を制御する。決定部Ｆ１１で継続運転が選択された場合には、制御部Ｆ１２は、空調装置２０に継続運転を行わせる。つまり、制御部Ｆ１２は、停止期間Ｐｓの間も空調装置２０の運転を継続する。一方で、決定部Ｆ１１で間欠運転が選択された場合には、制御部Ｆ１２は、空調装置２０に間欠運転を行わせる。つまり、制御部Ｆ１２は、空調装置２０の運転を停止期間Ｐｓの開始時点ｔｓで停止し、再開時点ｔｒから再開して、終了時点ｔｅでの室温を快適温度範囲Ｒｃ内の温度とする。
【００４５】
本実施形態では、制御部Ｆ１２は、間欠運転を実行する旨の通知（プッシュ通知）を行う。より詳細には、制御部Ｆ１２は、間欠運転を実行する際には、通信部１１から端末装置３０に通知を送る。これによって、端末装置３０は、ユーザに、間欠運転を実行する旨を報せることができる。また、制御部Ｆ１２は、空調装置２０の運転を再開する旨の通知（プッシュ通知）を行う。より詳細には、制御部Ｆ１２は、再開時点ｔｒで空調装置２０の運転を再開する際には、通信部１１から端末装置３０に通知を送る。これによって、端末装置３０は、ユーザに、空調装置２０の運転を再開する旨を報せることができる。
【００４６】
端末装置３０は、主に、空調装置２０をユーザが管理するためのユーザインタフェースとして機能する。特に、端末装置３０は、グラフィカルユーザインタフェース（GUI：Graphic User Interface）として機能する。
【００４７】
端末装置３０は、図１に示すように、入出力部３１と、通信部３２と、処理部３３と、を備える。入出力部３１、通信部３２、及び処理部３３は、同一の筐体に収容され得る。端末装置３０は、情報端末であり、例えば、スマートフォンである。なお、端末装置３０は、タブレット端末、ウェアラブル端末等の携帯端末、又はパーソナルコンピュータにより実現され得る。
【００４８】
入出力部３１は、端末装置３０を操作するための入力装置、音声入力装置、及びカメラを備える。入力装置は、例えば、タッチパッド及び／又は１以上のボタンを有する。また、入出力部３１は、情報を表示するための画像表示装置、及び音声出力装置を備える。画像表示装置は、液晶ディスプレイや有機ＥＬディスプレイなどの薄型のディスプレイ装置である。なお、入出力部３１のタッチパッドと画像表示装置とでタッチパネルが構成されてもよい。
【００４９】
通信部３２は、通信部１１と同様に、通信ネットワーク４０に接続可能であり、通信ネットワーク４０を通じた通信を行う機能を有する。通信部３２は、通信部１１と同じ通信プロトコルに準拠している。
【００５０】
処理部３３は、端末装置３０の全体的な制御、すなわち、入出力部３１及び通信部３２を制御するように構成される。処理部３３は、例えば、１以上のプロセッサ（マイクロプロセッサ）と１以上のメモリとを含むコンピュータシステムにより実現され得る。つまり、１以上のプロセッサが１以上のメモリに記憶された１以上のプログラム（アプリケーション）を実行することで、処理部３３として機能する。プログラムは、ここでは処理部２３のメモリに予め記録されているが、インターネット等の電気通信回線を通じて、又はメモリカード等の非一時的な記録媒体に記録されて提供されてもよい。
【００５１】
処理部３３は、上述した、入出力部３１の操作に応じて、ユーザにより入力された入力情報を、管理装置１０に通信ネットワーク４０を通じて送信する機能を有している。入力情報の例としては、停止期間Ｐｓを指定する情報、快適温度範囲Ｒｃを指定する情報、及び登録情報が挙げられる。このように、端末装置３０は、停止期間Ｐｓの入力、快適温度範囲Ｒｃの入力、及び、登録情報の入力に用いられる。このような端末装置３０により、停止期間Ｐｓの入力が容易になる。また、端末装置３０により、快適温度範囲Ｒｃ（快適温度Ｔｃ）の入力が容易になる。
【００５２】
また、処理部３３は、管理装置１０から間欠運転を実行する旨の通知を受けると、入出力部３１の画像表示装置に、間欠運転を実行することを示すメッセージを表示する。また、処理部３３は、管理装置１０から空調装置２０の運転を再開する旨の通知を受けると、入出力部３１の画像表示装置に、空調装置２０の運転を再開することを示すメッセージを表示する。これによって、空調システム１００は、空調装置２０の動作状態に関してユーザに必要な通知を行える。
【００５３】
１．３  動作
次に、空調システム１００の省エネルギー動作について図４のフローチャートを参照して簡単に説明する。
【００５４】
ユーザが端末装置３０に停止期間Ｐｓの情報を入力すると、停止期間Ｐｓの情報が端末装置３０から管理装置１０に通信ネットワーク４０を介して送信される。そして、管理装置１０の取得部Ｆ１０が停止期間Ｐｓの情報を取得する（Ｓ１１）。取得部Ｆ１０が停止期間Ｐｓの情報を取得すると、決定部Ｆ１１は、再開時点ｔｒを決定する（Ｓ１２）。また、決定部Ｆ１１は、空調装置２０の間欠運転時の消費電力量（第１電力量）と、空調装置２０の継続運転時の消費電力量（第２電力量）とを算出する（Ｓ１３）。次に、決定部Ｆ１１は、空調装置２０の間欠運転時の消費電力量（第１電力量）を、空調装置２０の継続運転時の消費電力量（第２電力量）と比較する（Ｓ１４）。ここで、第１電力量が第２電力量より多ければ（Ｓ１４：Ｙｅｓ）、決定部Ｆ１１は継続運転を選択し、制御部Ｆ１２は空調装置２０に継続運転を行わせる（Ｓ１５）。一方、第１消費電力量が第２消費電力量以下であれば（Ｓ１４：Ｎｏ）、決定部Ｆ１１は間欠運転を選択し、制御部Ｆ１２は空調装置２０に間欠運転を行わせる（Ｓ１６）。
【００５５】
そして、間欠運転の場合であっても、図２及び図３に示すように、終了時点ｔｅでの室温は快適温度範囲Ｒｃ内の温度となっているから、終了時点ｔｅでの部屋をユーザにとって快適な状態にできる。したがって、空調システム１００によれば、消費エネルギーの低減を図りながらも快適さを保つことができ得る。
【００５６】
１．４  まとめ
以上述べた空調システム１００は、取得部Ｆ１０と、決定部Ｆ１１と、を備える。取得部Ｆ１０は、空調装置２０の運転を停止させる停止期間Ｐｓの情報を取得する（図２、図３参照）。決定部Ｆ１１は、停止期間Ｐｓの終了時点ｔｅでの室温が快適温度範囲Ｒｃ内の温度となるように終了時点ｔｅより前に空調装置２０の運転を再開する再開時点ｔｒを求める。このような空調システム１００によれば、消費エネルギーの低減を図りながらも快適さを保つことができ得る。
【００５７】
換言すれば、空調システム１００は、下記の方法（第１空調方法）を実行しているといえる。第１空調方法は、空調装置２０の運転を停止させる停止期間Ｐｓの情報を取得する。また、第１空調方法は、停止期間Ｐｓの終了時点ｔｅでの室温が快適温度範囲Ｒｃ内の温度となるように終了時点ｔｅより前に空調装置２０の運転を再開する再開時点ｔｒを求める。このような第１空調方法によれば、消費エネルギーの低減を図りながらも快適さを保つことができ得る。
【００５８】
空調システム１００は、コンピュータシステムにより実現されている。つまり、空調システム１００は、コンピュータシステムがプログラム（空調プログラム）を実行することにより実現される。このプログラムは、コンピュータシステムに第１空調方法を実行させるためのプログラムである。このようなプログラムによれば、第１空調方法と同様に、消費エネルギーの低減を図りながらも快適さを保つことができ得る。
【００５９】
別の観点から言えば、空調システム１００は、取得部Ｆ１０と、制御部Ｆ１２と、を備える。取得部Ｆ１０は、空調装置２０の運転を停止させる停止期間Ｐｓの情報を取得する。制御部Ｆ１２は、停止期間Ｐｓの終了時点ｔｅでの室温が快適温度範囲Ｒｃ内の温度となるように終了時点ｔｅより前に空調装置２０に運転を再開させる。このような空調システム１００によれば、消費エネルギーの低減を図りながらも快適さを保つことができ得る。
【００６０】
換言すれば、空調システム１００は、下記の方法（第２空調方法）を実行しているといえる。第２空調方法は、空調装置２０の運転を停止させる停止期間Ｐｓの情報を取得する。また、第２空調方法は、停止期間Ｐｓの終了時点ｔｅでの室温が快適温度範囲Ｒｃ内の温度となるように終了時点ｔｅより前に空調装置２０に運転を再開させる。このような第２空調方法によれば、消費エネルギーの低減を図りながらも快適さを保つことができ得る。
【００６１】
空調システム１００は、コンピュータシステムにより実現されている。つまり、空調システム１００は、コンピュータシステムがプログラム（空調プログラム）を実行することにより実現される。このプログラムは、コンピュータシステムに第２空調方法を実行させるためのプログラムである。このようなプログラムによれば、第２空調方法と同様に、消費エネルギーの低減を図りながらも快適さを保つことができ得る。
【００６２】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００６３】
上記実施形態では、停止期間Ｐｓの情報は、停止期間Ｐｓそれ自体の長さを特定する情報であるが、これに限定されない。一変形例では、停止期間Ｐｓの情報は、停止期間Ｐｓの開始時点ｔｓ（図２、図３参照）と終了時点ｔｅ（図２、図３参照）とを特定できる情報であればよい。例えば、停止期間Ｐｓの情報は、終了時点ｔｅを特定する情報であってよい。この場合、ユーザは、端末装置３０を用いて、「１８：００」といった時刻を入力すればよい。また、停止期間Ｐｓの情報は、開始時点ｔｓと終了時点ｔｅとを特定する情報であってよいし、停止期間Ｐｓの情報は、開始時点ｔｓと停止期間Ｐｓの長さとを特定する情報であってよい。
【００６４】
上記実施形態では、快適温度範囲Ｒｃは、空調装置２０の設定温度を含み、外気温Ｔｏを含まないように設定されるが、これに限定されない。一変形例では、快適温度範囲Ｒｃは、空調装置２０の設定温度Ｔｓを含まなくてよい。快適温度範囲Ｒｃは、設定温度Ｔｓと外気温Ｔｏとの間の範囲であってよい。快適温度範囲Ｒｃは、冷房モードであれば設定温度Ｔｓ以下、暖房モードであれば設定温度Ｔｓ以上であってよい。つまり、快適温度Ｔｃは設定温度Ｔｓと一致していてよい。
【００６５】
上記実施形態では、予測モデルを利用して終了時点ｔｅでの室温を求めているが、一変形例では、予測モデルによって直接的に再開時点ｔｒを求めてもよい。また、一変形例では、再開時点ｔｒの決定には、予測モデルより簡易な演算式を用いてもよい。演算式は、パラメータに対して終了時点ｔｅでの室温又は再開時点ｔｒを与えるように生成され得る。ここで、パラメータは、予測モデルと同様に、停止期間Ｐｓ、開始時点ｔｓでの室温、運転開始時刻、空調装置２０の情報（能力、設定温度等）、外気温、部屋の熱量の保持能力等を含み得る。また、再開時点ｔｒの決定には、空調装置２０の状態情報（運転状況、室温等）の履歴を利用してよい。より簡易な例としては、停止期間Ｐｓの長さに対する再開時点ｔｒと終了時点ｔｅとの時間差の比率を予め定めておいてもよい。例えば、この比率を１：１２に設定してよい。この場合、停止期間Ｐｓが３時間であれば、再開時点ｔｒと終了時点ｔｅとの時間差は１５分となる。よって、再開時点ｔｒは、終了時点ｔｅの１５分前に設定され得る。このように、再開時点ｔｒは、様々な方法により決定され得る。
【００６６】
上記実施形態では、予測モデルを利用して空調装置２０の消費電力量（第１電力量及び第２電力量）を求めているが、一変形例では、予測モデルより簡易な演算式を用いてもよい。演算式は、パラメータに対して空調装置２０の消費電力量を与えるように生成され得る。ここで、パラメータは、予測モデルと同様に、空調装置２０の情報（能力、設定温度等）、運転期間、室温、外気温等を含み得る。また、消費電力量の算出には、空調装置２０の状態情報（運転状況、室温、累積消費電力等）の履歴を利用してよい。より簡易な例としては、空調装置２０の起動時電力量と定常時電力量とを予め決定しておいてもよい。例えば、起動時電力量は、空調装置２０が運転を開始し、室温を急速に設定温度にするときに使用される電力量であって、単位時間当たりの電力量で表される。定常時電力量は、室温が設定温度となった後に、その室温を維持するために必要な電力量であって、単位時間当たりの電力量で表される。この場合、第１電力量を、起動時電力量と再開時点ｔｒと終了時点ｔｅとの時間差とに基づいて決定し、第２電力量を、定常時電力量と停止期間Ｐｓとに基づいて決定してよい。
【００６７】
一変形例では、管理装置１０は、決定部Ｆ１１で求めた各種データを端末装置３０に提供してよい。各種データとしては、再開時点ｔｒ、間欠運転での消費電力量（第１電力量）、及び、継続運転での消費電力量（第２電力量）が挙げられる。このような場合、端末装置３０は、管理装置１０から提供されたデータ（再開時点ｔｒ、第１電力量、及び第２電力量等）の表示が可能となる。これによって、ユーザは、再開時点ｔｒ、間欠運転での消費電力量（第１電力量）、及び、継続運転での消費電力量（第２電力量）を知ることができる。
【００６８】
上記実施形態では、空調システム１００は、管理装置１０と、空調装置２０と、端末装置３０とを含んでいる。一変形例では、空調システム１００は、複数の空調装置２０を含んでいてもよい。また、空調システム１００は、複数の空調装置２０に個別に対応する複数の端末装置３０を含んでいてもよいし、１つの端末装置３０が複数の空調装置２０に対応付けられていてもよい。一変形例では、空調システム１００は、空調装置２０と端末装置３０との少なくとも一方を含んでいなくてもよい。つまり、空調システム１００は、管理装置１０だけを含んでいてもよい。機能的な面から言えば、空調システム１００は、取得部Ｆ１０と決定部Ｆ１１又は制御部Ｆ１２とを含んでいればよい。つまり、取得部Ｆ１０と決定部Ｆ１１又は制御部Ｆ１２とが、どのハードウェア資源によって実現されるかは重要ではない。管理装置１０、空調装置２０、端末装置３０等の何らかのハードウェア資源によって、取得部Ｆ１０と決定部Ｆ１１又は制御部Ｆ１２が実現されていればよい。例えば、取得部Ｆ１０と決定部Ｆ１１が管理装置１０に設けられ、制御部Ｆ１２が空調装置２０に設けられていてもよいし、取得部Ｆ１０と決定部Ｆ１１と制御部Ｆ１２とが空調装置２０に設けられていてもよい。この場合、管理装置１０が省略でき得る。ただし、上記実施形態のように、取得部Ｆ１０と決定部Ｆ１１と制御部Ｆ１２とが管理装置１０に設けられていれば、空調装置２０に大きな変更を加える必要がないから、空調システム１００の導入が容易になる。
【００６９】
一変形例では、空調システム１００は、複数のコンピュータにより構成されていてもよく、空調システム１００の機能（特に、取得部Ｆ１０、決定部Ｆ１１、及び制御部Ｆ１２）は、複数の装置に分散されていてもよい。例えば、取得部Ｆ１０、決定部Ｆ１１、及び制御部Ｆ１２は、空調装置２０のある施設に設置されるパーソナルコンピュータ等に設けられてよい。この場合、パーソナルコンピュータとサーバとが協働することで、空調システム１００が実現される。更に、空調システム１００の機能の少なくとも一部が、例えば、クラウド（クラウドコンピューティング）によって実現されていてもよい。
【００７０】
以上述べた空調システム１００の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における空調システム１００の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。ＬＳＩの製造後にプログラムされる、フィールド・プログラマブル・ゲート・アレイ（ＦＧＰＡ）、ＡＳＩＣ（application specific integrated circuit）、又はＬＳＩ内部の接合関係の再構成又はＬＳＩ内部の回路区画のセットアップができる再構成可能な論理デバイスも同じ目的で使うことができる。複数の電子回路は、１つのチップに集約されていてもよいし、複数のチップに分散して設けられていてもよい。複数のチップは、１つの装置に集約されていてもよいし、複数の装置に分散して設けられていてもよい。
【００７１】
３．態様
上記実施形態及び変形例から明らかなように、本開示は、下記の態様を含む。以下では、実施形態との対応関係を明示するためだけに、符号を括弧付きで付している。
【００７２】
第１の態様は、空調システム（１００）であって、取得部（Ｆ１０）と、決定部（Ｆ１１）と、を備える。前記取得部（Ｆ１０）は、空調装置（２０）の運転を停止させる停止期間（Ｐｓ）の情報を取得する。前記決定部（Ｆ１１）は、前記停止期間（Ｐｓ）の終了時点（ｔｅ）での室温が快適温度範囲（Ｒｃ）内の温度となるように前記終了時点（ｔｅ）より前に前記空調装置（２０）の運転を再開する再開時点（ｔｒ）を求める。第１の態様によれば、消費エネルギーの低減を図りながらも快適さを保つことができ得る。
【００７３】
第２の態様は、第１の態様の空調システム（１００）に基づく。第２の態様では、前記決定部（Ｆ１１）は、間欠運転での前記空調装置（２０）の消費電力量を求める。前記間欠運転は、前記再開時点（ｔｒ）から前記空調装置（２０）の運転を再開させて前記停止期間（Ｐｓ）の終了時点（ｔｅ）での室温を前記快適温度範囲（Ｒｃ）内の温度とする運転である。第２の態様によれば、間欠運転での消費電力量を提供できる。
【００７４】
第３の態様は、第２の態様の空調システム（１００）に基づく。第３の態様では、前記決定部（Ｆ１１）は、前記空調装置（２０）の運転を継続して前記停止期間（Ｐｓ）の間、室温を前記空調装置（２０）の設定温度（Ｔｓ）に維持する継続運転での前記空調装置（２０）の消費電力量を求める。第３の態様によれば、継続運転での消費電力量を提供できる。
【００７５】
第４の態様は、第３の態様の空調システム（１００）に基づく。第４の態様では、前記決定部（Ｆ１１）は、前記間欠運転の際の前記空調装置（２０）の消費電力量である第１電力量が前記継続運転の際の前記空調装置（２０）の消費電力量である第２電力量より少なければ、前記間欠運転を選択する。第４の態様によれば、省エネルギー化を図ることができる。
【００７６】
第５の態様は、第４の態様の空調システム（１００）に基づく。第５の態様では、前記決定部（Ｆ１１）は、前記第１電力量が前記第２電力量より多ければ、前記継続運転を選択する。第５の態様によれば、省エネルギー化を図ることができる。
【００７７】
第６の態様は、第１〜第５の態様のいずれか一つ空調システム（１００）に基づく。第６の態様では、前記決定部（Ｆ１１）は、前記空調装置（２０）の運転を再開させなくても前記停止期間（Ｐｓ）の終了時点（ｔｅ）での室温が前記快適温度範囲（Ｒｃ）内の温度になる場合には、前記空調装置（２０）の運転の停止を選択する。第６の態様によれば、省エネルギー化を図ることができる。
【００７８】
第７の態様は、第４〜第６の態様のいずれか一つの空調システム（１００）に基づく。第７の態様では、前記決定部（Ｆ１１）での選択の結果に応じて前記空調装置（２０）を制御する制御部（Ｆ１２）を、更に備える。第７の態様によれば、消費エネルギーの低減を図りながらも快適さを保つことができ得る。
【００７９】
第８の態様は、第１〜第７の態様のいずれか一つの空調システム（１００）に基づく。第８の態様では、前記決定部（Ｆ１１）は、外気温（Ｔｏ）を参照して前記再開時点（ｔｒ）を求める。第８の態様によれば、再開時点（ｔｒ）の精度が向上し得る。
【００８０】
第９の態様は、第８の態様の空調システム（１００）に基づく。第９の態様では、前記決定部（Ｆ１１）は、前記空調装置（２０）の登録情報に基づいて前記外気温（Ｔｏ）を取得する。第９の態様によれば、再開時点（ｔｒ）の精度が向上し得る。
【００８１】
第１０の態様は、第９の態様の空調システム（１００）に基づく。第１０の態様では、前記登録情報は、前記空調装置（２０）の設置場所を含む。前記設置場所は、前記空調装置（２０）の設置されている場所の住所を示す。前記決定部（Ｆ１１）は、前記設置場所に基づいて前記外気温（Ｔｏ）を取得する。第１０の態様によれば、再開時点（ｔｒ）の精度が向上し得る。
【００８２】
第１１の態様は、第１〜第１０の態様のいずれか一つの空調システム（１００）に基づく。第１１の態様では、前記決定部（Ｆ１１）は、ユーザからの入力に基づいて前記快適温度範囲（Ｒｃ）を決定する。第１１の態様によれば、快適さを向上でき得る。
【００８３】
第１２の態様は、第１〜第１１の態様のいずれか一つの空調システム（１００）に基づく。第１２の態様では、前記空調システム（１００）は、前記空調装置（２０）と、前記空調装置（２０）に通信可能に接続される管理装置（１０）と、を備える。前記管理装置（１０）は、前記取得部（Ｆ１０）及び前記決定部（Ｆ１１）を含む。第１２の態様によれば、空調装置（２０）の変更が不要であるから、空調システム（１００）の導入が容易に行える。
【００８４】
第１３の態様は、第１２の態様の空調システム（１００）に基づく。第１３の態様では、前記空調システム（１００）は、前記管理装置（１０）に通信可能に接続される端末装置（３０）を備える。前記端末装置（３０）は、前記停止期間（Ｐｓ）の入力に用いられる。第１３の態様によれば、停止期間（Ｐｓ）の入力が容易になる。
【００８５】
第１４の態様は、空調システム（１００）であって、取得部（Ｆ１０）と、制御部（Ｆ１２）と、を備える。前記取得部（Ｆ１０）は、空調装置（２０）の運転を停止させる停止期間（Ｐｓ）の情報を取得する。前記制御部（Ｆ１２）は、前記停止期間（Ｐｓ）の終了時点（ｔｅ）での室温が快適温度範囲（Ｒｃ）内の温度となるように前記終了時点（ｔｅ）より前の再開時点（ｔｒ）で前記空調装置（２０）に運転を再開させる。第１４の態様によれば、消費エネルギーの低減を図りながらも快適さを保つことができ得る。
【００８６】
第１５の態様は、第１４の態様の空調システム（１００）に基づく。第１５の態様では、前記制御部（Ｆ１２）は、前記空調装置（２０）の運転を再開する旨の通知を行う。第１５の態様によれば、空調装置（２０）の動作状態に関してユーザに必要な通知を行える。
【符号の説明】
【００８７】
１００  空調システム
Ｆ１０  取得部
Ｆ１１  決定部
Ｆ１２  制御部
１０  管理装置
２０  空調装置
３０  端末装置
Ｐｓ  停止期間
ｔｅ  終了時点
ｔｒ  再開時点
Ｔｓ  設定温度
Ｔｏ  外気温
Ｒｃ  快適温度範囲
【図１】
2020034239.tif 000003
【図２】
2020034239.tif 000004
【図３】
2020034239.tif 000005
【図４】
2020034239.tif 000006